(57)【要約】【課題】本発明は、構造が簡単で軽量であり、ボルトやナット等の締結具の向きに応じて簡単に角度調整することができ、狭い作業スペ−ス下においても締結又は締結解除作業を容易に作業能率よく行なうことが出来る、遠隔操作工具を提供するにある。【解決手段】一端部に締付け工具１２が取付け自在とされてなる工具本体１と、該工具本体１の他端部にロックナット７を介して外嵌状にロック自在とされた凸球面状関節部材５と、該凸球面状関節部材５の外周部に滑り嵌合された凹球面状関節部材８と、該凹球面状関節部材８を凸球面状関節部材５に常時圧接付勢せしめるべく工具本体１に巻装された付勢バネ部材１０とよりなり、上記凹球面状関節部材８を正逆に回動せしめつつ、凸球面状関節部材５を介して工具本体１を正逆に回動せしめ、工具本体１に取付けたラチエット機構付き締付け工具１２でもって所要の締結具を締結又は締結解除せしめるべく構成されている。【選択図】図１
2009131919.tif 000002
【特許請求の範囲】
【請求項１】
一端部にラチエット機構付き締付け工具が取付け自在とされてなる所要長の工具本体と
、該工具本体の他端部にロックナットを介して外嵌状にロック自在とされた凸球面状関節
部材と、該凸球面状関節部材の外周部に滑り嵌合された操作棒用装着部材付き凹球面状関
節部材と、該凹球面状関節部材を凸球面状関節部材に常時圧接付勢せしめるべく工具本体
にバネ受部を介して巻装された付勢バネ部材とよりなり、上記装着部材に所要の操作棒を
装着せしめて凹球面状関節部材を正逆に回動せしめつつ、凸球面状関節部材を介して工具
本体を正逆に回動せしめ、工具本体に取付けたラチエット機構付き締付け工具でもって所
要の締結具を締結又は締結解除せしめるべく構成されてなることを特徴とする、遠隔操作
工具。                                   
【請求項２】
ロックナットは工具本体にネジ機構を介して螺動自在に螺合され、必要に応じて適宜所
定方向に螺動せしめつつ凸球面状関節部材を所定の位置にロックせしめるべく構成されて
なることを特徴とする、請求項１記載の遠隔操作工具。
【発明の詳細な説明】
【技術分野】
【０００１】
本発明は、遠隔操作工具に関し、さらに詳細には、架空配電線路を構成すべく電柱上に
配置された碍子、懸垂クランプ、あるいは柱上変圧器などの構造物を固定するボルト・ナ
ットなど所要の締結具を遠隔操作により手動的に締結又は締結解除せしめるさいに使用す
る、遠隔操作工具に関する。
【背景技術】
【０００２】
従来より、この種の遠隔操作工具としては、所要の長さを備えた筒状の操作棹と、該操
作棹内に回転自在に内設された回転駆動軸と、該回転駆動軸の先部に歯車機構を介して回
転自在に接続されたソケット用取付け体と、該取付け体を所定の角度に調整せしめるべく
ウオ−ム歯車機構を介して付設された回転操作ノブとより構成されたものが知られている
（特開２００４−５８１９６号公報参照）。
【０００３】
そして、上述の如く構成された従来例は、作業対象のボルトやナットの向きに対応して
ソケットを取付け体に取付けると共に、取付け体を回転操作ノブにより所定の角度に調整
せしめたのち、操作棹によりソケットを所要のボルトやナットにアプロ−チせしめて嵌合
する。しかるのち、回転駆動軸を所定方向に手動的に回転駆動せしめ、歯車機構を介して
取付け体と共にソケットを回転作動せしめつつ、所要のボルトやナットを締結又は締結解
除せしめるものである。
【特許文献１】特開２００４−５８１９６号公報
【発明の開示】
【発明が解決しようとする課題】
【０００４】
ところで、上述の如く構成された従来例は、所要のボルトやナットを遠隔操作により確
実に締結又は締結解除せしめることができる反面、以下の問題点を有するものである。
先ず第１に、ソケット用取付け体は歯車機構を介して回転駆動軸により回転作動せしめ
るものとされているから、構造が複雑で大型化しやすいのみならず、重量が大となりやす
く、ひいては、操作性において問題があるものである。  
第２に、上述の如く比較的大型化しやすいものであるから、狭い作業スペ−ス下におい
てはボルトやナットの締結又は締結解除作業が非常に面倒で手間がかかるのみならず、場
合によっては作業が不能となるおそれがあるものである。
第３に、ソケット用取付け体は、ウォ−ム歯車機構を介して回転操作ノブにより水平状
態から約９０度に角度変化せしめることが出来るにすぎないものである。このため、作業
対象のボルトやナットの向きに応じて適宜ソケット自体を下向きに、あるいは上向きに変
えてセットせしめる必要があり、その作業が非常に面倒で煩しいのみならず、全体として
ボルトやナットの締結又は締結解除作業の作業能率を低下せしめやすいものである。
【０００５】
本発明は従来の課題を解決し、構造が簡単で軽量であり、しかも、作業対象のボルトや
ナットなどの締結具の向きに応じて簡単に角度調整することが出来るのみならず、狭い作
業スペ−ス下においても締結又は締結解除作業を容易に作業能率よく行なうことが出来る
、遠隔操作工具を提供しようとするものである。
【課題を解決するための手段】
【０００６】
上記の目的を達成するため、本発明の請求項１記載の発明は、一端部にラチエット機構
付き締付け工具が取付け自在とされてなる所要長の工具本体と、該工具本体の他端部にロ
ックナットを介して外嵌状にロック自在とされた凸球面状関節部材と、該凸球面状関節部
材の外周部に滑り嵌合された操作棒用装着部材付き凹球面状関節部材と、該凹球面状関節
部材を凸球面状関節部材に常時圧接付勢せしめるべく工具本体にバネ受部を介して巻装さ
れた付勢バネ部材とよりなり、上記装着部材に所要の操作棒を装着せしめて凹球面状関節
部材を正逆に回動せしめつつ、凸球面状関節部材を介して工具本体を正逆に回動せしめ、
工具本体に取付けたラチエット機構付き締付け工具でもって所要の締結具を締結又は締結
解除せしめるべく構成されてなることを特徴とする、遠隔操作工具を要旨とするものであ
る。                                   
【０００７】
請求項２記載の発明は、ロックナットは工具本体にネジ機構を介して螺動自在に螺合さ
れ、必要に応じて適宜所定方向に螺動せしめつつ凸球面状関節部材を所定の位置にロック
せしめるべく構成されてなることを特徴とする、請求項１記載の遠隔操作工具を要旨とす
るものである。
【発明の効果】
【０００８】
本発明の請求項１記載の発明は上述のように構成されているから、装着部材に所要の操
作棒を装着せしめて凹球面状関節部材を正逆に回動作動せしめつつ、凸球面状関節部材を
介して工具本体を正逆に回動せしめ、工具本体に取付けたラチエット機構付き締付け工具
でもってボルトやナットなどの締結具を締結又は締結解除せしめることが出来るものであ
って、従来例に比して、構造が簡単、かつ、軽量で操作性が非常によく、狭い作業スペ−
ス下においても締結又は締結解除作業を容易に作業能率よく行なうことが出来るものであ
る。そして、特に、凸球面状関節部材と凹球面状関節部材により所謂球関節構造とされて
いるから、作業対象のボルトやナットなどの締結具の向きに応じて凹球面状関節部材を自
由に回動せしめつつ適正角度に調整することが出来るものである。
【０００９】
請求項２記載の発明は上述のように構成されているから、作業対象であるボルトやナッ
トなどの締結具の締結力、又は締結解除力に応じて付勢バネ部材の付勢力を適正に調整せ
しめ、常に締結又は締結解除作業時の良好な操作性を保持せしめることが出来るものであ
る。
【発明を実施するための最良の形態】
【００１０】
以下に、本発明を実施するための最良の形態を図面に示す一実施例に基づいて詳細に説
明する。
【００１１】
図１乃至図４は本発明の一実施例を示すもので、同図中、１は所要の長さと径を備えた
円筒状の工具本体、２ａ・２ｂは該工具本体１の両端部外周に各々形成されたメネジ部で
、一端部の該メネジ部２ａには工具本体１の長手方向に沿うべく所要条のスリット３が形
成されると共に、該スリット３に沿ってメネジ部２ａを内方に押圧可動せしめるべく締結
工具用取付けナット４が螺動自在に螺合されている。５は上記取付けナット４に対応すべ
く工具本体１の他端にスリ−ブ６を介して摺動自在に嵌装された凸球面状関節部材、７は
該凸球面状関節部材５を摺動して所定の位置にロックせしめるべく前記他端のメネジ部２
ｂに螺動自在に螺合されたロックナット、８は上記凸球面状関節部材５の外周に滑り嵌合
された凹球面状関節部材、９は該凹球面状関節部材８の外周下端に取付けられた操作棒用
装着部材、１０は上記凹球面状関節部材８を凸球面状関節部材５に圧接せしめるべく工具
本体１にバネ受部１１を介して巻装された圧縮バネなどの付勢バネ部材である。その他、
１２は前記工具本体１に挿着自在とされた所要長の柄部１３を有するラチエットレンチ、
１４は前記装着部材９に装着自在とされた所要長の絶縁性操作棒を示す。
【００１２】
次に、上述の如く構成された実施例の作動について説明する。
先ず、図４に図示するように、工具本体１の一端部にラチエットレンチ１２の柄部１３
を挿入せしめたのち、取付けナット４を螺動せしめつつスリット３に沿ってメネジ部２ａ
を内方に押圧可動せしめ、柄部１３の外周面に圧接して取付けると共に、装着部材９に操
作棒１４を装着せしめる。このさい、ロックナット７により作業対象のボルトやナットの
締結力、又は締結解除力に応じて付勢バネ部材１０の付勢力を適正に調整せしめる。
【００１３】
しかるのち、操作棒１４によりラチエットレンチ１２を作業対象のボルトやナット（図
示略）にアプロ−チして嵌合せしめると共に、凹球面状関節部材８を図２に図示するよう
に正逆に回動せしめる。すると、凹球面状関節部材８は付勢バネ部材１０の付勢力により
凸球面状関節部材５に圧接付勢せしめられているから、凸球面状関節部材５を介して工具
本体１と共にラチエットレンチ１２が正逆に回動作動し、作業対象のボルトやナットを締
結し、また、締結解除せしめる。このさい、実施例は従来例に比して構造が簡単かつ軽量
で操作性が非常によいため、電柱上における狭い作業スペ−ス下においてもボルトやナッ
トの締結又は締結解除作業を容易に作業能率よく行なうことが出来るのみならず、凸球面
状関節部材５と凹球面状関節部材８により所謂球関節構造に構成されているから、作業対
象のボルトやナットの向きに応じて凹球面状関節部材８を適宜所定方向に回動して角度調
整せしめ、ラチエットレンチ１２をボルトやナットに適正、かつ、容易に嵌合せしめて締
結又は締結解除作業を行うことが出来るものである。
【００１４】
作業対象であるボルトやナットの締結又は締結解除作業が終了すると、装着部材９より
操作棒１４を取外すと共に、取付けナット４を原状位置方向に螺動せしめ、メネジ部２ａ
による柄部１３の圧接を解除してラチエットレンチ１２を工具本体１より取外し、作業を
完了する。
【００１５】
なお、上記実施例において、締付け工具としてラチエットレンチ１２が示されているが
、これに限定されるものでなく、例えばラチエット式ソケットなどラチエット機構を備え
たボルトやナットなどの締付け工具にも適用せしめることが出来るものである。また、上
記実施例は作業対象としてボルトやナットが示されているが、これに類した他の締結具に
も適用せしめることが出来るものである。
【図面の簡単な説明】
【００１６】
【図１】本発明の一実施例を示す側面図である。
【図２】図１のＡ−Ａ線に沿う断面図である。
【図３】図２のＢ−Ｂ線に沿う断面図である。
【図４】ラチエットレンチ１２と共に操作棒１４を装着せしめた状態を示す縦断面図である。
【符号の説明】
【００１７】
１    工具本体
２ａ・２ｂ  メネジ部
５    凸球面状関節部材
７    ロックナット
８    凹球面状関節部材
９    装着部材
１０  付勢バネ部材
１１  バネ受部  
１２  ラチエットレンチ
１４  操作棒
【図１】
2009131919.tif 000003
【図２】
2009131919.tif 000004
【図３】
2009131919.tif 000005
【図４】
2009131919.tif 000006